(57)【要約】【課題】  法面等の植栽用地に植栽穴を掘削する掘削作業を能率よく、且つ安全に行うことのできる経済的な植栽穴の掘削装置及び掘削方法を提供する。【解決手段】  衝撃式ブレーカ２に、植栽用地Ｇに植物６の植栽穴５を掘削するための植栽穴掘削用ロッド３を装着して、植栽穴の掘削装置１を構成する。植栽穴掘削用ロッド３は植栽穴５の大きさに対応する大径部を有する。この植栽穴の掘削装置１を、油圧ショベル４に搭載し、油圧ショベル４のブーム４３、アーム４４によって植栽穴の掘削装置１を植栽用地Ｇの植栽穴位置へ移動させ、植栽穴５を掘削する。【選択図】  図１
2005098064.tif 000002
【特許請求の範囲】
【請求項１】
衝撃式ブレーカに、植栽用地に植物の植栽穴を掘削するための植栽穴掘削用ロッドを装着した植栽穴の掘削装置。
【請求項２】
植栽穴掘削用ロッドが、植栽穴の大きさに対応する大径部を有することを特徴とする請求項１記載の植栽穴の掘削装置。
【請求項３】
植栽穴掘削用ロッドの大径部が、テーパー状に上部が拡径された側面を有することを特徴とする請求項２記載の植栽穴の掘削装置。
【請求項４】
植栽穴掘削用ロッドに、着脱可能な掘削ブロックとプロテクタとを設けたことを特徴とする請求項１、２、又は３記載の植栽穴の掘削装置。
【請求項５】
請求項１、２、３、又は４記載の植栽穴の掘削装置を建設機械に搭載し、建設機械によって植栽穴の掘削装置を植栽用地の植栽穴位置へ移動させ、植栽穴を掘削する植栽穴の掘削方法。
【発明の詳細な説明】
【技術分野】
【０００１】
本発明は、法面等の植栽用地に植物を植込むための植栽穴の掘削装置及び掘削方法に関するものである。
【背景技術】
【０００２】
荒地や法面等の植栽用地に植物を植栽する場合、植栽用地に植物を植込むための植栽穴を掘り、この植栽穴に植物の苗木を植込む。このような植栽作業は従来人手によって行われることが多かった。
しかし、植栽用地の地盤が固い場合には、人手により植栽穴を掘削すると時間がかかり、能率が悪い。
また、植栽用地が法面など傾斜地である場合は、掘削時に作業者が姿勢を安定した状態に保つのが困難で、安全上の問題があり能率的に掘削作業を行うことが難しい。
そこで、各種の機械装置を用いて作業能率を向上させることが考えられるが、植栽用地の地質や施工環境に合わせて種々の専用機を準備するには多額の経費を要する。
【０００３】
岩石、コンクリート構造物、路面の舗装等の破砕や、高炉の樋の耐火物の解体等に用いられる衝撃式ブレーカ（特許文献１参照）を、地盤が固い植栽用地で植栽穴の掘削に利用することも考えられるが、従来のブレーカはロッドが破砕を目的とする形状となっており、植栽穴を掘削するのには不適当であった。
【特許文献１】特開平９−２７９２１３号公報（第２頁、図２）
【発明の開示】
【発明が解決しようとする課題】
【０００４】
本発明は、植栽作業における上記問題を解決するものであって、法面等の植栽用地に植栽穴を掘削する作業を能率よく、且つ安全に行うことのできる経済的な植栽穴の掘削装置及び掘削方法を提供することを目的とする。
【課題を解決するための手段】
【０００５】
本発明の植栽穴の掘削装置は、衝撃式ブレーカに、植栽用地に植物の植栽穴を掘削するための植栽穴掘削用ロッドを装着することにより上記課題を解決している。
この植栽穴の掘削装置は、衝撃式ブレーカに植栽穴の掘削に好適な形状の植栽穴掘削用ロッドを装着しているので、建設機械に容易に搭載でき、植栽用地に植物の植栽穴を能率よく掘削することができる。
【０００６】
植栽穴掘削用ロッドが植栽穴の大きさに対応する大径部を有することで、容易に所要の大きさの植栽穴が掘削できる。
掘削された植栽穴は、地盤の性状によっては周壁が垂直に形成されると自立しにくく、崩壊を生じることがあるが、植栽穴掘削用ロッドの大径部がテーパー状に上部が拡径された側面を有していると、植栽穴にはテーパー状に上部が拡径された周壁が形成されるため、周壁の安定性が高くなって自立するので崩壊の発生が防止され、施工精度、作業効率が向上する。
【０００７】
植栽穴掘削用ロッドに着脱可能な掘削ブロックとプロテクタとを設けるように構成すると、植えこむ植物の大きさに合わせて、適宜サイズの異なる掘削ブロックとプロテクタとを取付けることにより、大きさの異なる植栽穴を掘削することができる。
本発明の植栽穴の掘削方法は、植栽穴の掘削装置を建設機械に搭載し、建設機械によって植栽穴の掘削装置を植栽用地の植栽穴位置へ移動させ、植栽穴を掘削するので、植栽穴の掘削作業が機械化され、法面のような傾斜地でも安全且つ能率よく植栽穴を掘削することができる。
植栽穴の掘削装置は、一般に広く使用されている衝撃式ブレーカを用いることで、油圧ショベル等の汎用の建設機械に搭載することができ、植栽穴掘削用ロッド以外に特別な機器や装置を準備する必要もなく経費が節減でき経済的である。
【発明の効果】
【０００８】
本発明の植栽装置及び植栽方法は、法面等の植栽用地に植物を植込むための植栽穴を掘削する掘削作業を能率よく、且つ安全に行うことができ、経済的にも有利な効果が得られる。
【発明を実施するための最良の形態】
【０００９】
図１は本発明の実施の形態を示す植栽穴の掘削装置を油圧ショベルに搭載した状態の正面図、図２は植栽穴掘削用ロッドの正面図、図３は植栽穴掘削用ロッドの下面図、図４は掘削ブロックとプロテクタとを設けた植栽穴掘削用ロッドの部分断面図、図５は掘削ブロックとプロテクタとを設けた植栽穴掘削用ロッドの下面図、図６は掘削ブロックの先端部の傾斜面の角度を鋭角にした植栽穴掘削用ロッドの部分断面図、図７は掘削ブロックの先端部の傾斜面の角度を鋭角にした植栽穴掘削用ロッドの下面図、図８は掘削ブロックとプロテクタとに螺旋溝を形成した植栽穴掘削用ロッドの正面図、図９は掘削ブロックとプロテクタとに螺旋溝を形成した植栽穴掘削用ロッドの下面図、図１０は大径部にテーパー状に上部が拡径された側面を有する植栽穴掘削用ロッドの正面図、図１１はテーパー状に上部が拡径された側面を有する掘削ブロックとプロテクタとを設けた植栽穴掘削用ロッドの部分断面図、図１２はテーパー状に上部が拡径された側面を有する掘削ブロックとプロテクタとを設けた植栽穴掘削用ロッドの下面図、図１３はテーパー状に上部が拡径された側面を有する植栽穴掘削用ロッドを装着した植栽穴の掘削装置を用いた植栽穴掘削作業の説明図である。
【００１０】
この植栽穴の掘削装置１は、衝撃式ブレーカ２に植栽穴掘削用ロッド３を装着したものであり、油圧ショベル４に搭載されている。
衝撃式ブレーカ２は、油圧ブレーカで公知の油圧打撃機構（図示略）を備えており、フロントヘッド２１に植栽穴掘削用ロッド３のシャンク部３１が装着されている。植栽穴掘削用ロッド３は、シャンク部３１の下方に、植栽穴５の大きさに対応する大径部３２を有しており、先端部３３は逆円錐台形となっている。
【００１１】
なお、大径部３２と先端部３３は、現場の状況により任意にサイズ、形状等を選択することが可能である。
大径部３２と先端部３３は一体構造としてもよいが、例えば、図４、図５に示すように、ロッド本体３４に着脱可能な掘削ブロック３５とプロテクタ３６とを設けるように構成することで、ロッド３全体を交換せず、適宜サイズの異なる掘削ブロック３５とプロテクタ３６とに交換するだけで、植えこむ植物６の大きさに合わせて、大きさの異なる植栽穴５を掘削することができる。ここで、掘削ブロック３５は先端部３３の逆円錐台形の傾斜面が同心円状の段付きとなっている。
【００１２】
また、掘削の際に地盤が圧縮されて植栽穴５の掘削が困難になるような所では、図６、図７に示すように、掘削ブロック３５の先端部３３の傾斜面の角度を鋭角にすることで掘削を容易にする。
さらに、図８、図９に示すように、掘削ブロック３５とプロテクタ３６とに螺旋溝３７、３８を形成し、且つ掘削ブロック３５（プロテクタ３６）をロッド本体３４に回転可能に取付けるよう構成することにより、掘削屑の排出を容易にし、掘削性能を向上させることができる。
【００１３】
掘削された植栽穴５は、植栽用地Ｇの地盤の性状によっては、周壁５１が垂直に形成されると自立しにくく、崩壊を生じることがある。このような所では、植栽穴掘削用ロッド３として、図１０に示すように、大径部３２がテーパー状に上部が拡径された側面３２Ｓを有するものを用いると好適である。植栽穴５にはテーパー状に上部が拡径された周壁５１が形成されるため、周壁５１の安定性が高くなって自立するので崩壊の発生が防止され、施工精度、作業効率が向上する。
【００１４】
植栽穴掘削用ロッド３は、図１１、図１２に示すように、大径部３２がテーパー状に上部が拡径された側面３２Ｓを有する着脱可能な掘削ブロック３５とプロテクタ３６とをロッド本体３４に設けるように構成することも可能である。この場合、ロッド３全体を交換せず、適宜サイズ及びテーパー角度の異なる掘削ブロック３５とプロテクタ３６とに交換するだけで、植えこむ植物６の大きさと植栽用地Ｇの地盤の性状とに合わせて、大きさと周壁５１のテーパー角度が異なる植栽穴５を掘削することができる。
【００１５】
油圧ショベル４は、走行台車４１上で３６０度旋回可能な旋回台４２に、作業用のブーム４３とアーム４４が起伏自在に支持されており、ブーム４４の先端に衝撃式ブレーカ２が取付ブラケット２２で取付けられている。
この植栽穴の掘削装置１を用いて植栽穴５の掘削作業を行う場合には、まず、植栽穴の掘削装置１を油圧ショベル４のアーム４４に取付ブラケット２２で取付ける。次に、油圧ショベル４を植栽用地Ｇ付近まで走行させ、旋回台４２を旋回し、ブーム４３とアーム４４を起伏させることにより、植栽穴の掘削装置１を植栽用地Ｇの植栽穴５の掘削位置まで移動させる。
【００１６】
その後、衝撃式ブレーカ２の油圧打撃機構を作動させて植栽穴掘削用ロッド３に打撃を与えながら、植栽穴の掘削装置１を油圧ショベル４のブーム４３とアーム４４で下方へ押し下げることにより、植栽用地Ｇに植栽穴５を掘削する。油圧打撃機構により打撃される植栽穴掘削用ロッド３は、ロッド本体３４をプロテクタ３６によって被覆するように構成することで、掘削時に植栽穴掘削用ロッド３から発生する騒音が低減される。プロテクタ３６にはゴム製のものを用いると、騒音の低減効果が大きい。
【００１７】
植栽穴掘削用ロッド３が植栽用地Ｇに貫入し、所定の深さまで植栽穴５が形成されたら、植栽穴の掘削装置１を油圧ショベル４のブーム４３とアーム４４で引き上げる。植栽穴掘削用ロッド３が植栽穴５から抜き出されるとき、プロテクタ３６により植栽穴５の周壁５１が崩れるのを防止する。
植栽穴掘削用ロッド３に大径部３２がテーパー状に上部が拡径された側面３２Ｓを有するものを用いると、図１３に示すように、植栽穴５にはテーパー状に上部が拡径された周壁５１が形成される。このため、植栽穴掘削用ロッド３の植栽穴５からの抜き出しが極めて円滑に行われる。また、地盤の性状が良くない場合でも、周壁５１は安定性が高くなって自立するので、崩壊の発生が効果的に防止される。
【００１８】
植栽穴掘削用ロッド３が植栽穴５から抜き出されて、植栽穴５の掘削が終了したら、油圧ショベル４の旋回台４２を旋回し、ブーム４３とアーム４４を起伏させることにより、植栽穴の掘削装置１を次の植栽穴５の掘削位置まで移動させ、以後上記と同様の掘削作業を繰り返す。
このように、植栽穴の掘削装置１を油圧ショベル４に搭載し、油圧ショベル４のブーム４３とアーム４４によって植栽穴の掘削装置１を植栽用地Ｇの植栽穴５の位置へ移動させ、植栽穴５を掘削するので、植栽穴５の掘削作業が機械化され、法面のような傾斜地でも安全且つ能率よく植栽穴５を掘削することができる。
【００１９】
植栽穴の掘削装置１は、一般に広く使用されている衝撃式ブレーカ２を用いることで、汎用の油圧ショベル４に搭載することができ、植栽穴掘削用ロッド３以外に特別な機器や装置を準備する必要もなく経費が節減でき経済的である。
なお、この実施の形態では、植栽穴の掘削装置１を油圧ショベルに搭載しているが、施工環境、条件に応じて油圧ショベル以外の建設機械に搭載することができるのは勿論である。
【図面の簡単な説明】
【００２０】
【図１】本発明の実施の形態を示す植栽穴の掘削装置を油圧ショベルに搭載した状態の正面図である。
【図２】植栽穴掘削用ロッドの正面図である。
【図３】植栽穴掘削用ロッドの下面図である。
【図４】掘削ブロックとプロテクタとを設けた植栽穴掘削用ロッドの部分断面図である。
【図５】掘削ブロックとプロテクタとを設けた植栽穴掘削用ロッドの下面図である。
【図６】掘削ブロックの先端部の傾斜面の角度を鋭角にした植栽穴掘削用ロッドの部分断面図である。
【図７】掘削ブロックの先端部の傾斜面の角度を鋭角にした植栽穴掘削用ロッドの下面図である。
【図８】掘削ブロックとプロテクタとに螺旋溝を形成した植栽穴掘削用ロッドの正面図である。
【図９】掘削ブロックとプロテクタとに螺旋溝を形成した植栽穴掘削用ロッドの下面図である。
【図１０】大径部にテーパー状に上部が拡径された側面を有する植栽穴掘削用ロッドの正面図である。
【図１１】大径部にテーパー状に上部が拡径された側面を有する掘削ブロックとプロテクタとを設けた植栽穴掘削用ロッドの部分断面図である。
【図１２】テーパー状に上部が拡径された側面を有する掘削ブロックとプロテクタとを設けた植栽穴掘削用ロッドの下面図である。
【図１３】テーパー状に上部が拡径された側面を有する植栽穴掘削用ロッドを装着した植栽穴の掘削装置を用いた植栽穴掘削作業の説明図である。
【符号の説明】
【００２１】
１      植栽穴の掘削装置
２      衝撃式ブレーカ
３      植栽穴掘削用ロッド
４      油圧ショベル
５      植栽穴
６      植物
２２    取付ブラケット
３１    シャンク部
３２    大径部
３２Ｓ    上部が拡径された側面
３３    先端部
３４    ロッド本体
３５    掘削ブロック
３６    プロテクタ
３７、３８    螺旋溝
４１    走行台車
４２    旋回台
４３    ブーム
４４    アーム
５１    周壁
Ｇ      植栽用地
【図１】
2005098064.tif 000003
【図２】
2005098064.tif 000004
【図３】
2005098064.tif 000005
【図４】
2005098064.tif 000006
【図５】
2005098064.tif 000007
【図６】
2005098064.tif 000008
【図７】
2005098064.tif 000009
【図８】
2005098064.tif 000010
【図９】
2005098064.tif 000011
【図１０】
2005098064.tif 000012
【図１１】
2005098064.tif 000013
【図１２】
2005098064.tif 000014
【図１３】
2005098064.tif 000015